(57)【要約】【課題】  水中ミキサとドラフトチューブとを備えた水中攪拌装置において、水中ミキサの本来の吸込み性能を発揮させることにより、攪拌性能を向上させる。【解決手段】  水槽２０には、上下方向に延びるドラフトチューブ１３が設けられている。ドラフトチューブ１３は、直管１１と、直管１１の上側に設けられたベルマウス１０とを備えている。水中ミキサ１は、水中モータ２と、水中モータ２に連結された軸流式又は斜流式の羽根車３とを備えている。羽根車３の周囲は、ベルマウス１０によって囲まれている。羽根車３の吸込み側（上側）は、直管１１によって囲まれておらず、開放されている。支持台１６には、水中ミキサ１の昇降を案内する案内棒１７が設けられている。水中ミキサ１は、ストッパ１８を介して案内棒１７に支持されている。【選択図】  図１
2006026498.tif 000002
【特許請求の範囲】
【請求項１】
水槽内に設置されて略上下方向に延びる直管と、前記直管に連続するように前記直管の上方に設けられ、上方に向かって末広がり状に開いたベルマウスと、を有するドラフトチューブと、
水中モータと前記水中モータに連結された軸流式又は斜流式の羽根車とを有し、水を上方から吸い込んで下方に吐出することによって前記ドラフトチューブ内に下向きの水流を形成する水中ミキサと、
を備えた水中攪拌装置であって、
前記水中ミキサの羽根車は、前記直管よりも上方に配置されている水中攪拌装置。
【請求項２】
前記水中ミキサの羽根車の外径は、前記直管の内径の１〜２倍である請求項１記載の水中攪拌装置。
【請求項３】
前記水中ミキサの羽根車は、前記ベルマウスの内部に配置されている請求項１又は２に記載の水中攪拌装置。
【請求項４】
前記水中ミキサの羽根車は、前記ベルマウスよりも上方に配置されている請求項１又は２に記載の水中攪拌装置。
【請求項５】
前記水中ミキサの羽根車は、側面視において、前記ベルマウスの内側輪郭線の仮想延長線の内側に位置している請求項４に記載の水中攪拌装置。
【請求項６】
前記ベルマウスは、前記水中ミキサに固定され、かつ、前記直管に対して着脱自在に構成されている請求項１〜５のいずれか一つに記載の水中攪拌装置。
【請求項７】
前記ベルマウスは、前記直管に固定され又は前記直管と一体的に形成され、
前記水中ミキサは、前記ベルマウスに対して着脱自在に構成されている請求項１〜５のいずれか一つに記載の水中攪拌装置。
【請求項８】
前記水槽内には、上下方向に延びる案内棒が設けられ、
前記水中ミキサには、前記案内棒と係合することによって前記水中ミキサの昇降を案内する案内部材が設けられ、
前記案内棒には、前記案内棒に沿って降下する前記水中ミキサを所定位置で停止させ、当該位置において前記水中ミキサを支持するストッパが設けられている請求項１〜７のいずれか一つに記載の水中攪拌装置。
【発明の詳細な説明】
【技術分野】
【０００１】
本発明は、水中ミキサとドラフトチューブ（案内筒）とを備えた水中攪拌装置に関するものである。
【背景技術】
【０００２】
従来より、図４に示すように、軸流式又は斜流式の水中ミキサ１０１とドラフトチューブ（案内筒）１０２とを備え、水槽１０３内の水を攪拌する水中攪拌装置が知られている（例えば、下記特許文献１参照）。この種の水中攪拌装置では、ドラフトチューブ１０２は、上下方向に積層された複数の管によって構成されている。水中ミキサ１０１は、その全体がドラフトチューブ１０２の内部に収容されている。
【０００３】
上記水中攪拌装置では、水中ミキサ１０１が作動すると、ドラフトチューブ１０２の上方から水が吸い込まれ、吸い込まれた水はドラフトチューブ１０２内を下向きに通過した後、ドラフトチューブ１０２の下方から水槽１０３の底部に供給される。その結果、水槽１０３の内部には、ドラフトチューブ１０２を介して上下に流れる循環流が形成され、水槽１０３内の水は攪拌されることになる。
【特許文献１】特開２００３−１３６０９０号公報
【発明の開示】
【発明が解決しようとする課題】
【０００４】
ところで、軸流式又は斜流式の水中ミキサ１０１では、水は、羽根車１０４の背面側（図４の上側）から吸い込まれ、羽根車１０４の正面側（図４の下側）から吐き出される。本来、水中ミキサ１０１では、水の吐出領域は羽根車１０４の外形寸法にほぼ等しいのに対し、水の吸込み領域は羽根車１０４の外形寸法に比べて相当大きくなる。すなわち、水中ミキサ１０１には、幅広い領域から水を集めてくるという性質が見られる。
【０００５】
ところが、上述の水中攪拌装置では、水中ミキサ１０１の全体がドラフトチューブ１０２の内部に収容されており、水中ミキサ１０１の吸込み側もドラフトチューブによって囲まれていた。そのため、吸込み領域がドラフトチューブ１０２の内径寸法に限定され、十分な吸込み性能が得られないという課題があった。その結果、水中ミキサ１０１の本来の性能を十分に発揮させることが難しかった。
【０００６】
本発明は、かかる点に鑑みてなされたものであり、その目的とするところは、水中ミキサとドラフトチューブとを備えた水中攪拌装置において、水中ミキサの本来の吸込み性能を発揮させることにより、攪拌性能を向上させることにある。
【課題を解決するための手段】
【０００７】
本発明に係る水中攪拌装置は、水槽内に設置されて略上下方向に延びる直管と、前記直管に連続するように前記直管の上方に設けられ、上方に向かって末広がり状に開いたベルマウスと、を有するドラフトチューブと、水中モータと前記水中モータに連結された軸流式又は斜流式の羽根車とを有し、水を上方から吸い込んで下方に吐出することによって前記ドラフトチューブ内に下向きの水流を形成する水中ミキサと、を備えた水中攪拌装置であって、前記水中ミキサの羽根車は、前記直管よりも上方に配置されているものである。
【０００８】
上記水中攪拌装置によれば、水中ミキサの羽根車が直管よりも上方に配置されているので、羽根車の上側すなわち吸込み側は、直管の影響を受けることがない。そのため、羽根車の吸込み領域は、直管の内径寸法よりも大きく確保される。したがって、水中ミキサの吸込み能力を十分に発揮させることができ、水中ミキサ本来の性能を発揮させることによって攪拌性能を向上させることができる。
【０００９】
前記水中ミキサの羽根車の外径は、前記直管の内径の１〜２倍であることが好ましい。
【００１０】
このことにより、羽根車の外径は直管の内径以上であり、外径の大きな羽根車が使用される。このように、直管の寸法を大きくしなくても、比較的大きな羽根車を使用することができるので、攪拌性能が向上する。一方、羽根車の外径が大きすぎると、羽根車に吸い込まれた水の一部が直管内に導かれないおそれがある。しかし、上記水中攪拌装置では、羽根車の外径は直管の内径の２倍以下であるので、羽根車に向かって吸い込まれた水のほぼ全部が直管内に吐出され、吸込みの無駄は防止される。
【００１１】
前記水中ミキサの羽根車は、前記ベルマウスの内部に配置されていてもよい。
【００１２】
このことにより、羽根車を通過する水の流れがベルマウスによって整流され、水中ミキサの吸込み性能が更に向上する。
【００１３】
前記水中ミキサの羽根車は、前記ベルマウスよりも上方に配置されていてもよい。
【００１４】
このことにより、羽根車は、ドラフトチューブの外部（すなわち、ドラフトチューブよりも上方）に配置されることになる。したがって、ドラフトチューブの制約を受けることなく羽根車を大型化することが可能となり、攪拌性能を更に向上させることが可能となる。
【００１５】
前記水中ミキサの羽根車は、側面視において、前記ベルマウスの内側輪郭線の仮想延長線の内側に位置していることが好ましい。
【００１６】
このことにより、羽根車によって吸い込まれかつ吐出される水は、ベルマウス内に効率的に導入される。そのため、吸込みの無駄は防止される。なお、ここでいう仮想延長線の内側には、仮想延長線上の位置も含まれる。
【００１７】
前記ベルマウスは、前記水中ミキサに固定され、かつ、前記直管に対して着脱自在に構成されていてもよい。
【００１８】
このことにより、水中ミキサを水槽内に吊り下げることによって、水中ミキサ及びベルマウスは直管に容易に取り付けられる。一方、水中ミキサを水槽から吊り上げることによって、水中ミキサ及びベルマウスは直管から容易に取り外される。そのため、水中ミキサの据え付け及びメンテナンスが容易になる。
【００１９】
前記ベルマウスは、前記直管に固定され又は前記直管と一体的に形成され、前記水中ミキサは、前記ベルマウスに対して着脱自在に構成されていてもよい。
【００２０】
このことにより、水中ミキサを水槽内に吊り下げることによって、水中ミキサはベルマウスに容易に取り付けられる。一方、水中ミキサを水槽から吊り上げることによって、水中ミキサはベルマウスから容易に取り外される。そのため、水中ミキサの据え付け及びメンテナンスが容易になる。また、水中ミキサにベルマウスを設ける必要がないので、水中ミキサの軽量化が図られる。
【００２１】
前記水槽内には、上下方向に延びる案内棒が設けられ、前記水中ミキサには、前記案内棒と係合することによって前記水中ミキサの昇降を案内する案内部材が設けられ、前記案内棒には、前記案内棒に沿って降下する前記水中ミキサを所定位置で停止させ、当該位置において前記水中ミキサを支持するストッパが設けられていることが好ましい。
【００２２】
このことにより、水中ミキサを案内棒に沿って降下させるだけの簡単な作業によって、水中ミキサを所定位置に容易に設置することが可能となる。また、水中ミキサはストッパ及び案内棒によって支持されるので、水中ミキサの全重量をドラフトチューブで支える必要はない。そのため、ドラフトチューブの剛性を比較的低くすることが可能となり、ドラフトチューブの低コスト化を図ることができる。なお、上記ストッパは、水中ミキサを直接支持するものでなくてもよい。ストッパは、案内部材等の他の部材を介して水中ミキサを支持するものであってもよい。
【発明の効果】
【００２３】
以上のように、本発明によれば、ドラフトチューブの直管の影響を受けることなく水中ミキサの吸込み領域を拡大させることができるので、水中ミキサの本来の吸込み性能を十分に発揮させることが可能となり、攪拌性能を向上させることができる。
【００２４】
ベルマウスを水中ミキサ側に設け、このベルマウスを直管に対して着脱自在に構成することとすれば、水中ミキサの取り付け及び取り外しが容易となり、水中ミキサの据え付け及びメンテナンス作業を容易化することができる。
【００２５】
また、ベルマウスを直管側に設け、水中ミキサをベルマウスに対して着脱自在に構成することによっても、水中ミキサの取り付け及び取り外しの容易化を図ることができる。この場合、水中ミキサにベルマウスを設ける必要がないので、水中ミキサの小型化及び軽量化を図ることができる。したがって、水中ミキサの据え付け及びメンテナンス作業を更に容易にすることができる。
【００２６】
水中ミキサを案内棒によって支持することとすれば、ドラフトチューブに加わる荷重が削減される分だけ、ドラフトチューブの剛性を小さく抑えることが可能となる。そのため、ドラフトチューブの低コスト化を図ることができる。
【発明を実施するための最良の形態】
【００２７】
以下、本発明の実施形態を図面に基づいて詳細に説明する。
【００２８】
（実施形態１）
図１に示すように、実施形態１に係る水中攪拌装置は、水槽２０内に設けられたドラフトチューブ１３と、ドラフトチューブ１３の上方に配置された水中ミキサ１とを備えている。
【００２９】
水槽２０の底面には、支持台１６が設置されている。支持台１６の中央部には、上向きに突出する円錐状の整流部材１５が設けられている。また、支持台１６には、複数本の脚を備えた架台１４が設けられている。なお、架台１４の側方は、水の流通が自在なように開放されている。
【００３０】
ドラフトチューブ１３は、上下方向に積層された複数本の管１１，１２を備えている。ドラフトチューブ１３の一番下側に位置する管（以下、下管という）１２は、下向きに広がった末広がり状の管によって形成されている。この下管１２は、架台１４に固定されている。下管１２の上側に位置する管１１は、いずれも直管、すなわち内径が一定又は略一定の真っ直ぐな管である。一番上側に位置する管（以下、上管という）１１の更に上側には、ベルマウス１０が設けられている。ベルマウス１０は、上向きに末広がり状に形成されている。なお、詳細は後述するが、本実施形態ではベルマウス１０は水中ミキサ１側に設けられている。
【００３１】
ドラフトチューブ１３の形状は、ドラフトチューブ１３の上側に直管部が形成されている限り、特定の形状に限定される訳ではない。ドラフトチューブ１３を構成する管の本数や形状等は、何ら限定されない。ドラフトチューブ１３を単管で構成することも可能である。
【００３２】
水中ミキサ１は、水中モータ２と、水中モータ２の回転軸（図示せず）に連結された羽根車３とを備えている。水中ミキサ１には連結アーム４が設けられ、連結アーム４に前記ベルマウス１０が固定されている。ベルマウス１０は、羽根車３の周囲を囲んでいる。このように、本実施形態では、ドラフトチューブ１３の一部を形成するベルマウス１０が、水中ミキサ１側に設けられている。
【００３３】
また、水中ミキサ１には、吊り下げ用のチェーン５が取り付けられている。水中ミキサ１は下向きに設置されており、水中モータ２の回転軸は鉛直下向きに延びている。その結果、この水中ミキサ１では、羽根車３の上側が吸込み側となり、羽根車３の下側が吐出側となっている。したがって、本実施形態では、羽根車３の吐出側は直管１１で囲まれているが、羽根車３の吸込み側には直管１１が設けられておらず、吸込み側は広く開放されている。
【００３４】
水中ミキサ１が設置された状態では、ベルマウス１０は上管１１と滑らかに連続している。すなわち、ベルマウス１０の内面と上管１１の内面とは、略面一に連続している。ベルマウス１０は、直管１１の上に載せられている。このように本実施形態では、ベルマウス１０が直管１１の上に載置されることによって、水中ミキサ１の取り付けが完了する。また、水中ミキサ１を上方に吊り上げることによって、ベルマウス１０は直管１１から取り外される。すなわち、水中ミキサ１は容易に取り外される。したがって、ベルマウス１０は直管１１に対して取り付け及び取り外しが自在であり、水中ミキサは直管１１に対して着脱自在に構成されている。
【００３５】
支持台１６には、上下方向に延びる案内棒１７が固定されている。本実施形態では、案内棒１７は２本設けられている。ただし、案内棒１７の本数は特に限定されるものではない。また、案内棒１７の形状は何ら限定されず、例えば、円柱状の棒であってもよく、角柱状の棒であってもよい。案内棒１７は、中空棒であってもよく、中実棒であってもよい。
【００３６】
水中ミキサ１の水中モータ２には、左右に延びる棒状の案内部材６が固定されている。案内部材６の両端には、案内棒１７と係合する窪み（図示せず）が形成されている。本実施形態では、水中ミキサ１を昇降させると、案内部材６は案内棒１７と係合したまま案内棒１７に対してスライドする。これにより、昇降の際に水中ミキサ１が横方向に揺れることがなくなり、水中ミキサ１は安定した姿勢のまま案内棒１７に沿って昇降することになる。なお、案内部材６と案内棒１７との係合に関しては、上記構造に限定されず種々の係合構造を採用することが可能である。例えば、案内部材６に、案内棒１７を両側から狭持する一対のローラを設けるようにしてもよい。
【００３７】
各案内棒１７の中途部には、ストッパ１８が設けられている。そして、水中ミキサ１がドラフトチューブ１３上の所定の設置位置にまで吊り下げられると、案内部材６はストッパ１８と接触し、ストッパ１８に支持される。言い換えると、ストッパ１８は、ドラフトチューブ１３上の所定位置で水中ミキサ１を支持する。このように本実施形態では、水中ミキサ１は、案内部材６及びストッパ１８を介して案内棒１７に支持されている。ただし、水中ミキサ１の重量の一部をドラフトチューブ１３で支えることも勿論可能である。しかしながら、ドラフトチューブ１３の剛性を小さくし、ドラフトチューブ１３の低コスト化を図る観点からは、ドラフトチューブ１３に加わる荷重はできるだけ小さい方が好ましい。そこで、本実施形態では、水中ミキサ１の全重量を案内棒１７によって支持することとしている。
【００３８】
次に、水中攪拌装置の動作について説明する。この水中攪拌装置では、水中ミキサ１が作動すると、羽根車３の上方及び斜め上方から水が吸い込まれる。そして、この水は羽根車３の下方に吐き出され、ドラフトチューブ１３内に導入される。ドラフトチューブ１３内を下向きに通過した水は、下管１２の下側から導出される。上述したように、下管１２の下側は末広がり状に形成され、かつ、支持台１６に整流部材１５が形成されていることにより、ドラフトチューブ１３から導出される水の流れは円滑化する。具体的には、下管１２から支持台１６に向かって下向きに流れてきた水は、その流れ方向が下向きから横向き方向に円滑に変更され、水槽２０の底面に沿って平面視略放射状に流れていく。その後、水槽２０の底面に沿って流れた水は水槽２０の側面に衝突し、横向き方向から上向き方向に流れ方向を変え、上向きに流れていく。そして、水槽２０の上側に到達した水は、ドラフトチューブ１３側に流れた後、再びドラフトチューブ１３に吸い込まれ、上記流通を繰り返すことになる。その結果、水槽２０の内部には、ドラフトチューブ１３を介して、水槽２０の全体を上下する循環流が形成される。したがって、水槽２０内は効率的に攪拌されることになる。
【００３９】
本実施形態によれば、水中ミキサ１の羽根車３は、ドラフトチューブ１３の直管１１よりも上方に配置されている。そのため、水中ミキサ１の吸込み側には、ドラフトチューブ１３の直管１１の内径寸法よりも大きな領域が確保されている。したがって、ドラフトチューブ１３の直管１１の寸法に制限されることなく、水中ミキサ１の本来の吸込み性能を十分に発揮させることができる。本実施形態に係る水中攪拌装置によれば、水槽２０内の水を十分に攪拌することが可能となる。
【００４０】
また、本実施形態によれば、水槽２０に案内棒１７を設置し、その案内棒１７と係合する案内部材６を水中ミキサ１に設けることとした。また、案内棒１７に、水中ミキサ１を所定位置に位置決め設置するストッパ１８を設けることとした。そのため、水中ミキサ１を案内棒１７に沿って吊り降ろすだけの簡単な作業によって、水中ミキサ１をドラフトチューブ１３上の所定位置に容易に設置することができる。したがって、水中ミキサ１の据え付け作業を容易に行うことができる。
【００４１】
本実施形態では、ベルマウス１０は、直管１１への取り付けに際して、直管１１の上に載置されるだけである。そのため、ベルマウス１０は直管１１に対して着脱自在である。したがって、水中ミキサ１の取り付け及び取り外しが容易であり、水中ミキサ１の据え付け及びメンテナンス作業を容易化することができる。
【００４２】
また、本実施形態では、水中ミキサ１は案内棒１７によって支持されている。そのため、水中ミキサ１をドラフトチューブ１３で支持する必要はないので、ドラフトチューブ１３の剛性を低く抑えることが可能となる。したがって、ドラフトチューブ１３の軽量化や低コスト化を図ることができる。
【００４３】
なお、水中ミキサ１の吸込み性能を高めるためには、羽根車３の外径は大きいほど好ましい。図１に示すように、上記実施形態では、羽根車３の外径はドラフトチューブ１３の直管１１の内径よりも小さかった。しかしながら、羽根車３の外径は直管１１の内径以上であってもよい。このように直管１１の内径以上の外径寸法を有する羽根車３を用いることにより、攪拌性能を更に向上させることが可能となる。
【００４４】
（実施形態２）
図２に示すように、実施形態２は、実施形態１に変更を加えたものであって、ベルマウス１０を直管１１側に設けたものである。
【００４５】
本実施形態に係る水中ミキサ１は、水中モータ２と、水中モータ２の回転軸に連結された羽根車３と、案内部材６とを備えている。実施形態１と異なり、水中ミキサ１には、ベルマウス１０及び連結アーム４は取り付けられていない。
【００４６】
本実施形態では、ベルマウス１０は、最上位の直管１１の上側において、当該直管１１と一体化されている。すなわち、本実施形態では、ドラフトチューブ１３の上管は、上側の一部が上向きに末広がり状となっており、他の部分が真っ直ぐに形成されている。ただし、ベルマウス１０は、必ずしも直管１１と一体化されている必要はない。ベルマウス１０は、直管１１と別体に形成され、直管１１に固定されていてもよい。
【００４７】
本実施形態においても、水中ミキサ１の羽根車３は、ベルマウス１０によって囲まれている。羽根車３の外径は、直管１１の内径よりも小さくてもよいが、吸込み性能を向上させる観点からは、直管１１の内径以上であることが好ましい。
【００４８】
また、本実施形態においても、水中ミキサ１を案内棒１７に沿って吊り降ろすと、案内部材６とストッパ１８とが接触し、水中ミキサ１はストッパ１８によって所定位置で支持される。その結果、水中ミキサ１は、羽根車３がベルマウス１０に囲まれた状態で支持され、ドラフトチューブ１３（特にベルマウス１０）に取り付けられることになる。一方、水中ミキサ１を吊り上げると、水中ミキサ１はドラフトチューブ１３から自動的に取り外される。このように、水中ミキサ１はドラフトチューブ１３（より詳しくは、ベルマウス１０）に対して着脱自在に構成されている。
【００４９】
その他の部分については、実施形態１と同様であるので、それらの説明は省略する。
【００５０】
以上より、本実施形態においても、実施形態１と同様の効果を得ることができる。加えて、本実施形態では、ベルマウス１０がドラフトチューブ１３側に設けられているので、水中ミキサ１にベルマウス１０を設ける必要はない。したがって、水中ミキサ１の小型化及び軽量化が図られる。そのため、水中ミキサ１の据え付け及びメンテナンス作業が更に容易になる。
【００５１】
（実施形態３）
図３に示すように、実施形態３は、実施形態２に変更を加えたものであって、羽根車３をドラフトチューブ１３よりも上方に配置し、羽根車３の外径Ｄを直管１１の内径ｄよりも大きくしたものである。
【００５２】
前述したように、羽根車３の外形寸法が大きいほど、水中ミキサ１の吸込み性能は向上する。しかしながら、羽根車３の寸法がドラフトチューブ１３と比較して大きすぎると、羽根車３に吸い込まれた水の一部は、ドラフトチューブ１３内に導入されなくなる。つまり、吸込みの無駄が生じやすくなる。一方、ドラフトチューブ１３の導入口側（図３の上側）にベルマウス１０が設けられている場合には、羽根車３の吸込み量は、直管１１の内径ｄだけでなく、ベルマウス１０の形状や寸法によっても変化する。そこで、本実施形態では、羽根車３によって吸い込まれる水のほぼ全部がベルマウス１０に導入されるよう、羽根車３の寸法及び位置を以下のように設定することとした。
【００５３】
具体的には、羽根車３は、側面視において、ベルマウス１０の内側輪郭線（内面側の輪郭線）の仮想延長線３０の内側に位置している。なお、ここでいう仮想延長線３０の内側には、仮想延長線３０よりも内寄りの位置だけでなく、仮想延長線３０の線上の位置も含まれることとする。羽根車３の外径Ｄは、ドラフトチューブ１３の直管１１の内径ｄの２倍となっている。羽根車３の上下方向の中央位置と直管１１の最上端（すなわち、直管１１とベルマウス１０との境界部分）との間の距離２ａは、ベルマウス１０の長さａの２倍になっている。
【００５４】
このように、本実施形態では、羽根車３をドラフトチューブ１３の外側に設け、ドラフトチューブ１３よりも大きな羽根車３を用いることとしたので、従来よりも大きな吸込み性能を有する水中ミキサ１を利用することができる。したがって、水中攪拌装置の攪拌性能をより一層大きくすることが可能となる。
【００５５】
本実施形態では、羽根車３がベルマウス１０の仮想延長線３０の内側に位置していることにより、羽根車３に吸い込まれた水は、仮想延長線３０の内側を流れ、ベルマウス１０内に導入されることになる。特に、本実施形態では、羽根車３と直管１１との間の距離がベルマウス１０の長さの２倍以下になっているので、羽根車３とベルマウス１０との間には、羽根車３からベルマウス１０に向かう一様な流れが形成されやすい。そのため、羽根車３に吸い込まれた水は、ベルマウス１０の内部に向かって無駄なく流れ込みやすくなる。また、羽根車３の外径Ｄが直管１１の内径ｄの２倍になっているので、羽根車３に吸い込まれた水のほとんどすべてが、ベルマウス１０に流れ込みやすくなる。すなわち、羽根車３の内径側部分に吸い込まれる水だけでなく、羽根車３の外径側部分に吸い込まれる水も、ベルマウス１０に向かって円滑に吐出される。その結果、吸込みの無駄が効果的に防止される。
【００５６】
このように、本実施形態によれば、羽根車３の寸法及び設置位置の好適化を図ったことにより、水中ミキサ１の吸込みの無駄を防止することができ、吸込み性能を効果的に増大させることができる。したがって、攪拌性能をより一層向上させることが可能となる。
【００５７】
なお、上記実施形態では、羽根車１１の外径Ｄは直管１１の内径ｄの２倍であったが、羽根車１１の外径Ｄは直管１１の内径ｄの１〜２倍であってもよい。羽根車３と直管１１との間の距離は、ベルマウス１０の長さａの２倍の値（＝２ａ）以下であることが好ましいが、２ａに近い値である限り、２ａよりも大きくてもよい。
【００５８】
前記各実施形態では、ベルマウス１０は、内側輪郭線が曲線状に形成されていた。しかし、ベルマウス１０の内側輪郭線は、直線状であってもよい。
【産業上の利用可能性】
【００５９】
以上説明したように、本発明は、例えば汚水処理等において好適な水中攪拌装置について有用である。
【図面の簡単な説明】
【００６０】
【図１】実施形態１に係る水中攪拌装置の側面図である。
【図２】実施形態２に係る水中攪拌装置の側面図である。
【図３】実施形態２に係る水中攪拌装置の側面図である。
【図４】従来の水中攪拌装置の側面図である。
【符号の説明】
【００６１】
１    水中ミキサ
２    水中モータ
３    羽根車
６    案内部材
１０  ベルマウス
１１  直管
１３  ドラフトチューブ
１７  案内棒
１８  ストッパ
２０  水槽
３０  仮想延長線
【図１】
2006026498.tif 000003
【図２】
2006026498.tif 000004
【図３】
2006026498.tif 000005
【図４】
2006026498.tif 000006